(57)【要約】【課題】  夜間に鳥類の種を識別することができると共に、鳥類の位置を容易に且つ高精度に取得することができる鳥類観測装置及び鳥類観測方法を提供する。【解決手段】  所定の観測位置に設けられた装置本体２０と、夜間に飛翔する鳥類を暗視する暗視手段３０と、前記鳥類の発する音を集音する集音手段４０と、前記暗視手段３０の暗視方向及び前記集音手段４０の集音方向を前記鳥類の移動に合わせて調節可能に前記装置本体２０に対して保持する保持手段５０と、前記保持手段５０が前記鳥類の移動に合わせて調整された調整位置を特定する位置情報を取得して保存する位置取得手段６１とを具備する鳥類観測装置１０とする。【選択図】        図１
2005189103.tif 000002
【特許請求の範囲】
【請求項１】
所定の観測位置に設けられた装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段と、前記保持手段が前記鳥類の移動に合わせて調整された調整位置を特定する位置情報を取得して保存する位置取得手段とを具備することを特徴とする鳥類観測装置。
【請求項２】
請求項１において、前記位置取得手段が、前記位置情報を時刻と関連付けて保存することを特徴とする鳥類観測装置。
【請求項３】
請求項１又は２において、前記位置取得手段が、前記鳥類の観測開始から観測終了までの位置情報を保存することを特徴とする鳥類観測装置。
【請求項４】
請求項１〜３の何れかにおいて、前記位置取得手段が取得した位置情報に関連付けて前記集音手段が集音した情報及び前記暗視手段が暗視した情報を保存する保存手段をさらに具備することを特徴とする鳥類観測装置。
【請求項５】
請求項１〜４の何れかにおいて、前記暗視手段には、前記鳥類までの距離を測定する測定手段が設けられていると共に、前記位置取得手段が取得した前記位置情報と、前記測定手段が取得した距離とに基づいて前記鳥類の位置を取得する鳥類位置取得手段とをさらに具備することを特徴とする鳥類観測装置。
【請求項６】
請求項５において、前記鳥類位置取得手段が、前記鳥類の移動軌跡を取得することを特徴とする鳥類観測装置。
【請求項７】
装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段と、前記保持手段が前記鳥類の移動に合わせて調整された調整位置を特定する位置情報を取得して保存する位置取得手段とが少なくとも２カ所の異なる観測位置に設けられていることを特徴とする鳥類観測装置。
【請求項８】
請求項７において、前記位置取得手段が、前記位置情報を時刻と関連付けて保存することを特徴とする鳥類観測装置。
【請求項９】
請求項７又は８において、前記位置取得手段は、前記鳥類の観測開始から観測終了までの位置情報を保存することを特徴とする鳥類観測装置。
【請求項１０】
請求項７〜９の何れかにおいて、前記位置取得手段が取得した前記位置情報に関連付けて前記集音手段が集音した情報及び前記暗視手段が暗視した情報を保存する保存手段をさらに具備することを特徴とする鳥類観測装置。
【請求項１１】
請求項７〜１０の何れかにおいて、異なる観測位置に設けられた前記位置取得手段の取得した前記位置情報を互いに送受信する通信手段をさらに具備することを特徴とする鳥類観測装置。
【請求項１２】
請求項１１において、異なる観測位置のそれぞれに設けられた前記位置取得手段が取得した前記位置情報に基づいて前記鳥類の位置を取得する鳥類位置取得手段をさらに具備することを特徴とする鳥類観測装置。
【請求項１３】
請求項１２において、前記鳥類位置取得手段には、前記位置情報と、異なる観測位置に設けられた前記位置取得手段から前記通信手段を介して送られた前記位置情報とから取得した前記鳥類の位置から、異なる観測位置で同一の前記鳥類を観測しているか検証する検証手段が設けられていることを特徴とする鳥類観測装置。
【請求項１４】
請求項１２又は１３において、前記鳥類位置取得手段が、前記鳥類の移動軌跡を取得することを特徴とする鳥類観測装置。
【請求項１５】
所定の観測位置に設けられた装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段とを具備し、前記保持手段が前記鳥類の移動に合わせて調整された調整位置を特定する位置情報に基づいて前記鳥類の位置を取得することを特徴とする鳥類観測方法。
【請求項１６】
請求項１５において、前記暗視手段から前記鳥類までの距離を測定し、この距離と前記位置情報とに基づいて前記鳥類の位置を取得することを特徴とする鳥類観測方法。
【請求項１７】
装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調整可能に前記装置本体に対して保持する保持手段とを少なくとも２カ所の異なる観測位置に設け、異なる観測位置のそれぞれの前記保持手段が前記鳥類の移動に合わせて調整された調整位置を特定する位置情報に基づいて前記鳥類の位置を取得することを特徴とする鳥類観測方法。
【請求項１８】
請求項１７において、異なる観測位置のそれぞれの前記位置情報から取得した前記鳥類の位置から、異なる観測位置で同一の鳥類を観測しているか検証することを特徴とする鳥類観測方法。
【発明の詳細な説明】
【技術分野】
【０００１】
本発明は、夜間の鳥類の飛翔による移動軌跡を観測することができる鳥類観測装置及び鳥類観測方法に関する。
【背景技術】
【０００２】
従来より、風力発電の風車や、送電線鉄塔、空港などの施設を建設する場合、環境調査の一環として、渡り鳥等の鳥類の飛翔経路の観測が行われている。このような鳥類の観測方法としては、従来より様々な方法が知られている。
【０００３】
例えば、鳥類を目視により観測する方法がある。この目視により観測する方法では、例えば、肉眼による観測や、望遠鏡、暗視装置、ラジオコントロール（無線制御）された模型飛行機に搭載したリモコンカメラなどの光学機器を用いた観測などが挙げられる。このような目視により鳥類を観測する方法では、方位計（コンパス）や雲高計（シーロメーター）等を用いることで、飛翔方向や、鳥類の飛翔高さを観測することができる（例えば、非特許文献１参照）。
【０００４】
また、鳥類を電波送受信装置を用いて観測する方法がある。この電波送受信装置を用いた観測では、例えば、鳥類にパルス発信器等の送信機を取り付けて、送信機からの定期的な電波を２カ所以上の地点で受信することにより、送信機の取り付けられた鳥類の位置や行動域を観測している（例えば、非特許文献１及び２参照）。
【０００５】
また、鳥類をレーダーを用いて観測する方法がある。鳥類の観測に用いられるレーダーとしては、例えば、空港監視レーダー（ＡＳＲ）、気象観測用レーダー（ＷＳＲ）、航空機追跡（追尾）レーダー、海洋監視レーダーなどが挙げられる（例えば、非特許文献１及び２参照）。
【０００６】
また、鳥類を音響探測儀を用いて観測する方法がある。音響探測儀としては、例えば、水中を伝わる音を受波器でとらえ、それを増幅し、水中音の方向や音質を分析するのに用いられるハイドロホンや、レーダーの原理を超音波で行うＰＰＩソナーなどが挙げられる（例えば、非特許文献２参照）。
【０００７】
さらに、鳥類を集音器によって観測する方法がある。この集音器を用いた鳥類の観測では、鳥類の発する鳴き声などの音を聞き分けることで、鳥類の種を識別することができる（例えば、非特許文献３参照）。
【０００８】
また、鳥類をセオドライト（測距儀）を用いて観測する方法がある。このセオドライトを用いた観測では、同一の飛翔個体を同時に連続捕捉することで、飛翔の軌跡を３次元的に把握することができる（例えば、非特許文献４参照）。
【０００９】
しかしながら、渡り鳥の多くが夜間に飛翔することから、夜間に鳥類が飛翔する経路を観測する必要があるが、従来の目視による観測では、夜間に鳥類を観測することができないという問題がある。また、暗視スコープ等の暗視手段を用いて観測を行ったとしても、周辺地形が分からず、鳥類の正確な飛翔経路を取得することができないという問題がある。
【００１０】
また、従来の電波送受信装置を用いた観測では、夜間の観測が可能であるが、送信機が小型化されているとは言え、比較的大型の鳥類にしか適用できないという問題がある。また、送信機を取り付けた鳥類の観測しかできず、不特定の鳥類を観測することができないという問題がある。
【００１１】
さらに、従来のレーダーを用いた観測では、鳥類の高精度な飛翔経路を観測することができないという問題がある。また、レーダーを用いた鳥類の観測では、追跡している種を識別することができないという問題がある。
【００１２】
また、従来の音響探測儀を用いた観測では、水中を伝わる音を受波器でとらえるため、水鳥の生態しか観測することができず、飛翔経路などを観測することができないという問題がある。
【００１３】
また、集音器を用いた観測でも、鳥類の飛翔経路などを観測することができないという問題がある。
【００１４】
さらに、セオドライトを用いた観測では、夜間の鳥類の飛翔経路を観測することができないという問題がある。
【００１５】
【非特許文献１】ポール・ケリンガー（Paul Kerlinger）著、丸武志訳、「鳥の渡りを調べてみたら」、株式会社文一総合出版、２０００年５月１日出版、ｐ．２７−４３
【非特許文献２】岡本久人・市田則孝著、「野鳥調査マニュアル・定量調査の考え方と進め方」、株式会社東洋館出版社、１９９０年７月１０日出版、ｐ．２５２−２５３
【非特許文献３】「BIRD SHOP CATALOG・AUTUMN&WINTER2003」、財団法人日本野鳥の会、ｐ．７
【非特許文献４】「風力発電のための環境影響評価マニュアル・ＮＥＤＯ  ２００３」、新エネルギー・産業技術総合開発機構、ｐ５１−５２
【発明の開示】
【発明が解決しようとする課題】
【００１６】
本発明はこのような課題に鑑み、夜間に鳥類の種を識別することができると共に、鳥類の位置を容易に且つ高精度に取得することができる鳥類観測装置及び鳥類観測方法を提供することを課題とする。
【課題を解決するための手段】
【００１７】
上記課題を解決する本発明の第１の態様は、所定の観測位置に設けられた装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段と、前記保持手段が前記鳥類の移動に合わせて調整された調整位置を特定する位置情報を取得して保存する位置取得手段とを具備することを特徴とする鳥類観測装置にある。
【００１８】
かかる第１の態様では、暗視手段及び集音手段によって夜間であっても鳥類を容易に観測することができると共に、鳥類の位置を容易に且つ高精度に取得することができる。
【００１９】
本発明の第２の態様は、第１の態様において、前記位置取得手段が、前記位置情報を時刻と関連付けて保存することを特徴とする鳥類観測装置にある。
【００２０】
かかる第２の態様では、位置取得手段が時刻と関連付けて位置情報を保存することにより、複数の鳥類の観測を行うことができると共に、観測終了後に混同することがない。
【００２１】
本発明の第３の態様は、第１又は２の態様において、前記位置取得手段が、前記鳥類の観測開始から観測終了までの位置情報を保存することを特徴とする鳥類観測装置にある。
【００２２】
かかる第３の態様では、位置取得手段が無駄な位置情報を保存することなく、鳥類の位置を算出する際に、位置情報の切り出しを行う必要が無く、鳥類の位置情報を容易に算出することができる。
【００２３】
本発明の第４の態様は、第１〜３の何れかの態様において、前記位置取得手段が取得した位置情報に関連付けて前記集音手段が集音した情報及び前記暗視手段が暗視した情報を保存する保存手段をさらに具備することを特徴とする鳥類観測装置にある。
【００２４】
かかる第４の態様では、保存手段が各情報を保存することで、観測終了後に観測の正否を識別することができると共に、観測終了後に鳥類の種を識別することができる。
【００２５】
本発明の第５の態様は、第１〜４の何れかの態様において、前記暗視手段には、前記鳥類までの距離を測定する測定手段が設けられていると共に、前記位置取得手段が取得した前記位置情報と、前記測定手段が取得した距離とに基づいて前記鳥類の位置を取得する鳥類位置取得手段をさらに具備することを特徴とする鳥類観測装置にある。
【００２６】
かかる第５の態様では、１カ所の観測位置に設けられた鳥類位置取得手段によって、鳥類の観測中にも鳥類の位置を取得することができる。
【００２７】
本発明の第６の態様は、第５の態様において、前記鳥類位置取得手段が、前記鳥類の移動軌跡を取得することを特徴とする鳥類観測装置にある。
【００２８】
かかる第６の態様では、鳥類の移動軌跡を容易に且つ高精度に取得することができる。
【００２９】
本発明の第７の態様は、装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段と、前記保持手段が前記鳥類の移動に合わせて調整された調整位置を特定する位置情報を取得して保存する位置取得手段とが少なくとも２カ所の異なる観測位置に設けられていることを特徴とする鳥類観測装置にある。
【００３０】
かかる第７の態様では、少なくとも２カ所の異なる観測位置で位置取得手段が位置情報を取得することで、鳥類の位置を容易に且つ高精度に取得することができる。
【００３１】
本発明の第８の態様は、第７の態様において、前記位置取得手段が、前記位置情報を時刻と関連付けて保存することを特徴とする鳥類観測装置にある。
【００３２】
かかる第８の態様では、位置取得手段が時刻と関連付けて位置情報を保存することにより、複数の鳥類の観測を行うことができると共に、観測終了後に混同することがない。
【００３３】
本発明の第９の態様は、第７又は８の態様において、前記位置取得手段は、前記鳥類の観測開始から観測終了までの位置情報を保存することを特徴とする鳥類観測装置にある。
【００３４】
かかる第９の態様では、位置取得手段が無駄な位置情報を保存することなく、鳥類の位置を算出する際に、位置情報の切り出しを行う必要が無く、鳥類の位置情報を容易に算出することができる。
【００３５】
本発明の第１０の態様は、第７〜９の何れかの態様において、前記位置取得手段が取得した前記位置情報に関連付けて前記集音手段が集音した情報及び前記暗視手段が暗視した情報を保存する保存手段をさらに具備することを特徴とする鳥類観測装置にある。
【００３６】
かかる第１０の態様では、保存手段が各情報を保存することで、観測終了後に観測の正否を識別することができると共に、観測終了後に鳥類の種を識別することができる。
【００３７】
本発明の第１１の態様は、第７〜１０の何れかの態様において、異なる観測位置に設けられた前記位置取得手段の取得した前記位置情報を互いに送受信する通信手段をさらに具備することを特徴とする鳥類観測装置にある。
【００３８】
かかる第１１の態様では、通信手段を設けることにより、異なる観測位置で異なる鳥類を観測するのを防止することができる。
【００３９】
本発明の第１２の態様は、第１１の態様において、異なる観測位置のそれぞれに設けられた前記位置取得手段が取得した前記位置情報に基づいて前記鳥類の位置を取得する鳥類位置取得手段をさらに具備することを特徴とする鳥類観測装置にある。
【００４０】
かかる第１２の態様では、鳥類位置取得手段によって、鳥類の観測中にも鳥類の位置を取得することができる。
【００４１】
本発明の第１３の態様は、第１２の態様において、前記鳥類位置取得手段には、前記位置情報と、異なる観測位置に設けられた前記位置取得手段から前記通信手段を介して送られた前記位置情報とから取得した前記鳥類の位置から、異なる観測位置で同一の前記鳥類を観測しているか検証する検証手段が設けられていることを特徴とする鳥類観測装置にある。
【００４２】
かかる第１３の態様では、鳥類の観測中に異なる観測位置で異なる鳥類を観測しているか検証することができ、鳥類の観測効率を向上することができる。
【００４３】
本発明の第１４の態様は、第１２又は１３の態様において、前記鳥類位置取得手段が、前記鳥類の移動軌跡を取得することを特徴とする鳥類観測装置にある。
【００４４】
かかる第１４の態様では、鳥類の移動軌跡を容易に且つ高精度に取得することができる。
【００４５】
本発明の第１５の態様は、所定の観測位置に設けられた装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調節可能に前記装置本体に対して保持する保持手段とを具備し、前記保持手段が前記鳥類の移動に合わせて調整された調整位置を特定する位置情報に基づいて前記鳥類の位置を取得することを特徴とする鳥類観測方法にある。
【００４６】
かかる第１５の態様では、暗視手段及び集音手段によって夜間であっても鳥類を容易に観測することができると共に、鳥類の位置を容易に且つ高精度に取得することができる。
【００４７】
本発明の第１６の態様は、第１５の態様において、前記暗視手段から前記鳥類までの距離を測定し、この距離と前記位置情報とに基づいて前記鳥類の位置を取得することを特徴とする鳥類観測方法にある。
【００４８】
かかる第１６の態様では、１カ所の観測位置に設けられた鳥類位置取得手段によって、鳥類の観測中にも鳥類の位置を取得することができる。
【００４９】
本発明の第１７の態様は、装置本体と、夜間に飛翔する鳥類を暗視する暗視手段と、前記鳥類の発する音を集音する集音手段と、前記暗視手段の暗視方向及び前記集音手段の集音方向を前記鳥類の移動に合わせて調整可能に前記装置本体に対して保持する保持手段とを少なくとも２カ所の異なる観測位置に設け、異なる観測位置のそれぞれの前記保持手段が前記鳥類の移動に合わせて調整された調整位置を特定する位置情報に基づいて前記鳥類の位置を取得することを特徴とする鳥類観測方法にある。
【００５０】
かかる第１７の態様では、少なくとも２カ所の異なる観測位置で位置取得手段が位置情報を取得することで、鳥類の位置を容易に且つ高精度に取得することができる。
【００５１】
本発明の第１８の態様は、第１７の態様において、異なる観測位置のそれぞれの前記位置情報から取得した前記鳥類の位置から、異なる観測位置で同一の鳥類を観測しているか検証することを特徴とする鳥類観測方法にある。
【００５２】
かかる第１８の態様では、鳥類の観測中に異なる観測位置で異なる鳥類を観測しているか検証することができ、鳥類の観測効率を向上することができる。
【発明の効果】
【００５３】
本発明によれば、暗視手段及び集音手段によって夜間であっても鳥類を容易に観測することができると共に、位置取得手段が取得及び保存した位置情報に基づいて鳥類の位置を容易に且つ高精度に取得することができる。また、暗視手段だけでは、鳥類の観測が困難な場合でも、集音手段の集音した鳥類の発する音によって鳥類を観測して鳥類の位置を取得することができると共に、集音手段によって鳥類の種を容易に識別することができる。
【発明を実施するための最良の形態】
【００５４】
以下に本発明を実施形態に基づいて詳細に説明する。
【００５５】
（実施形態１）
図１は、本発明の実施形態１に係る鳥類観測装置の概略側面図であり、図２は、鳥類観測装置の要部を示す概略正面図であり、図３は、鳥類観測装置の要部を示す概略側面図である。
【００５６】
図１に示すように、本実施形態の鳥類観測装置１０は、観測部１１と制御部１２とで構成されている。
【００５７】
観測部１１は、図２及び図３に示すように、所定の観測位置に設置された装置本体２０と、鳥１を暗視する暗視手段３０と、鳥１の発する音を集音する集音手段４０と、装置本体２０に対して暗視手段３０及び集音手段４０の暗視及び集音方向を位置決め自在に保持する保持手段５０とを具備する。
【００５８】
装置本体２０は、円柱状のピラー部２１と、ピラー部２１の下端部側の外周に基端部が固定された３つの脚部２２と、脚部２２の先端部に螺合して設けられた倒れ調整用ねじ２３と、倒れ調整用ねじ２３の先端部が当接する地面固定用鉄板２４とを具備する。装置本体２０は、各脚部２２の先端の倒れ調整ねじ２３を回転させることで、ピラー部２１の軸が鉛直方向と同一となるようにピラー部２１の倒れを調整することができる。
【００５９】
このようなピラー部２１の上端部には、暗視手段３０及び集音手段４０を保持した保持手段５０が設けられている。
【００６０】
保持手段５０は、装置本体２０に対して暗視手段３０の暗視方向及び集音手段４０の集音方向を位置決め保持するものであり、板状部材をコ字状に屈曲して形成されたベース部５１と、ベース部５１の両端部に回転自在に保持されて位置決めされる操作部５２とで構成されている。
【００６１】
保持手段５０を構成するベース部５１は、その底面が第１の回転支持部材５３を介してピラー部２１の上端部に保持されており、ベース部５１は第１の回転支持部材５３によってピラー部２１の軸を中心として回転自在に保持されている。すなわち、ベース部５１は、本実施形態では、鉛直方向と直交する水平方向に回転自在となっている。
【００６２】
このベース部５１をピラー部２１に対して水平方向に回転自在に位置決め保持する第１の回転支持部材５３には、ベース部５１をピラー部２１の軸を中心として回転させた際に、ベース部５１が調整されたピラー部２１に対する調整位置を特定する位置情報を検出する第１の位置検出センサ１００が設けられている。本実施形態では、第１の位置検出センサ１００が検出する位置情報として、ベース部５１のピラー部２１に対する水平方向の回転角度を検出するようにした。なお、第１の位置検出センサ１００は、ベース部５１のピラー部２１に対する水平方向の回転角度を検出することができれば、特に限定されず、例えば、本実施形態では、回転角度をデジタルデータである角度データとして取得できるＡ／Ｄ変換器として、ロータリーエンコーダを用いた。
【００６３】
また、第１の位置検出センサ１００は、詳しくは後述する制御部１２に設けられた位置取得手段６１に接続されており、第１の位置検出センサ１００が検出した保持手段５０の位置情報が、位置取得手段６１に保存されるようになっている。この位置取得手段６１は、保持手段５０の位置情報を時刻と関連付けて保存するようになっている。
【００６４】
また、保持手段５０を構成する操作部５２は、暗視手段３０が保持された保持テーブル５４と、集音手段４０が保持されたアーム部５５と、保持テーブル５４に固定されて観測者２が把持して保持手段５０の暗視方向及び集音方向を調整する操作用ハンドル部５７とを具備する。
【００６５】
保持テーブル５４は、板状部材からなり、その両端部が同一方向に屈曲されることで、一対のアーム部５５が形成されている。このアーム部５５がベース部５１の両端部側に第２の回転支持部材５６を介して保持されており、第２の回転支持部材５６によって操作部５２は、ベース部５１に対して第２の回転支持部材５６を中心として鉛直方向に回転するように保持されている。
【００６６】
この操作部５２をベース部５１に対して鉛直方向に回転自在に保持する第２の回転支持部材５６には、操作部５２をベース部５１に対して鉛直方向に回転させた際に、操作部５２が調整されたベース部５１に対する調整位置を特定する位置情報を検出する第２の位置検出センサ１０１が設けられている。本実施形態では、第２の位置検出センサ１０１が検出する位置情報として、操作部５２のベース部５１に対する鉛直方向の回転角度を取得するようにした。なお、第２の位置検出センサ１０１は、操作部５２のベース部５１に対する鉛直方向の回転角度を取得することができれば、特に限定されず、例えば、本実施形態では、第１の位置検出センサ１００と同様に回転角度をデジタルデータである角度データとして取得できるＡ／Ｄ変換器として、ロータリーエンコーダを用いた。
【００６７】
また、第２の位置検出センサ１０１は、上述したように第１の位置検出センサ１００と共に制御部１２に設けられた位置取得手段６１に接続されており、第２の位置検出センサ１０１が検出した保持手段５０の位置情報が位置取得手段６１に保存されるようになっている。なお、位置取得手段６１には、第１の位置検出センサ１００が検出した位置情報と共に第２の位置検出センサ１０１が検出した位置情報も時刻と関連付けて保存される。
【００６８】
また、保持テーブル５４には、２本の円柱部材からなる操作ハンドル５７が設けられている。この操作ハンドル５７を観測者２が把持して、操作部５２のベース部５１に対する鉛直方向の回転及びベース部５１のピラー部２１に対する水平方向の回転を行うことで、詳しくは後述する暗視手段３０の暗視方向及び集音手段４０の集音方向を調整するようになっている。
【００６９】
また、操作ハンドル５７には、スイッチ５７ａが設けられている。このスイッチ５７ａは、制御部１２に設けられた位置取得手段６１に接続されており、観測者２によるスイッチ５７ａの入り切りによって、位置取得手段６１に観測開始及び観測終了を知らせるようになっている。そして、詳しくは後述するが、位置取得手段６１は、観測者２のスイッチ５７ａの入り切りによって観測開始から観測終了まで保持手段５０の調整された位置情報を保存するようになっている。
【００７０】
さらに、保持テーブル５４の底面には、所定重量のバランスウェイト５８が設けられている。このバランスウェイト５８は、詳しくは後述するアーム部５５に設けられた集音手段４０の重量により、保持テーブル５４が鉛直方向に勝手に回転しないように、操作部５２の重心が第２の回転支持部材５６の回転中心又は回転中心よりも下となるようにしている。このバランスウェイト５８を設けることによって、操作部５２が集音手段４０の重量により勝手に鉛直方向に回転するのを防止すると共に、観測者２が操作ハンドル５７を用いて、比較的容易に操作部５２を鉛直方向に回転させることができる。
【００７１】
また、保持テーブル５４上には、暗視手段３０が固定されている。暗視手段３０としては、例えば、微光を増幅する微光増幅暗視装置、赤外線を目標物に照射し、その反射映像をイメージ管などで可視化するノクトビジョン式赤外線暗視装置、常温物体が放射する赤外線を半導体素子などで検知して可視化するパッシブ方式赤外線暗視装置などを挙げることができる。本実施形態では、暗視手段３０として、微光増幅暗視装置を用いた。すなわち、微光増幅暗視装置からなる暗視手段３０は、暗視カメラ３１と、暗視カメラ３１からの映像データを可視化するモニタ３２とで構成されている。そして、本実施形態では、暗視手段３０の暗視方向とは、暗視カメラ３１の鳥１を撮影する方向のことを言う。
【００７２】
また、一対のアーム部５５の間には、集音手段４０が保持されている。集音手段４０は、鳥１の鳴き声や羽ばたき音などの鳥１が発する音を取得するものであり、本実施形態では、アーム部５５の間に固定された回転放物面からなる反射面を有する反射器４１と、一端が反射器４１の縁部に固定されたマイク保持アーム４２を介して反射器４１の集音位置に固定された集音マイク４３とで構成されている。そして、本実施形態では、集音手段４０の集音方向とは、反射器４１の集音方向のことを言う。この集音手段４０は、集音方向が前述した暗視手段３０の暗視方向と同一方向となるように一対のアーム部５５の間に保持されている。すなわち、本実施形態では、暗視手段３０の暗視方向及び集音手段４０の集音方向を同一方向として観測方向としている。このような集音手段４０は、詳しくは後述する制御部１２の増幅手段６０に接続されている。
【００７３】
ここで、鳥類観測装置１０の制御部１２について説明する。なお、本実施形態では、操作部１１が異なる観測位置Ａ、Ｂにそれぞれ設置され、観測位置Ａ、Ｂのそれぞれに設けられた２台の観測部１１で同一の鳥１を観測する場合について説明する。また、図４は、鳥類観測装置の制御部を示すブロック図である。
【００７４】
観測位置Ａに設けられた制御部１２は、図１及び図４に示すように、集音手段４０の集音マイク４３に接続されて、集音手段４０が集音した音を増幅及び分配する増幅手段６０と、観測部１１の第１の位置検出センサ１００及び第２の位置検出センサ１０１に接続されて保持手段５０の調整された位置情報（角度データ）を取得して保存する位置取得手段６１と、位置取得手段６１に接続されて保持手段５０の調整された位置情報から鳥１の位置を算出する鳥類位置取得手段６２と、観測位置Ａ、Ｂ同士を通信する通信手段６３と、時刻を時刻データとして生成する時計手段６４とを具備する。
【００７５】
また、観測位置Ｂに設けられた制御部１２Ａは、図４に示すように、増幅手段６０Ａ、位置取得手段６１Ａ、通信手段６３Ａ及び時計手段６４Ａを具備する。なお、制御部１２Ａを構成する増幅手段６０Ａ、位置取得手段６１Ａ及び通信手段６３Ａは、観測位置Ａに設けられた制御部１２を構成するものと同一のものであるため、重複する説明は省略する。また、制御部１２に設けられた時計手段６４と制御部１２Ａに設けられた時計手段６４Ａとの時刻は同期しているのが好ましく、時計手段６４、６４Ａの時刻の同期は、例えば、通信手段６３を介して行ってもよく、タイムコードを含む標準電波を受信して常に標準時と同期させるようにしてもよい。
【００７６】
増幅手段６１は、集音手段４０の集音マイク４３と観測者２が装着するヘッドホン３とに接続されており、集音手段４０が取得した鳥１の発する音を増幅して観測者２が装着したヘッドホン３に送り、観測者２が鳥１の発する音を聴音できるようになっている。そして、観測者２が鳥１の移動に合わせて保持手段５０を調整した際に、集音手段４０が集音した鳥１の発する音から、集音手段４０の集音方向が鳥１を捕らえているか否かを識別することができる。
【００７７】
このような増幅手段６０には、低音域を遮断することにより、車の音や人の声などによる外乱を防止して、集音手段４０が取得した鳥１の発する音を聞き易くする低音域遮断機能が付与されている。この低音域遮断機能は、増幅手段６０に設けられた低音遮断ダイヤル等によって調整することができる。なお、低音域遮断機能は、外乱を防止するために低音域のみを遮断するが、特にこれに限定されず、例えば、増幅手段６０に、集音手段４０が取得した鳥１の発する音を該当種の発する音域に絞り込む音域絞り機能を付与するようにしてもよい。このように集音手段４０が取得した鳥１の発する音を音域絞り機能により絞り込むことで、観測する鳥１の種を絞り込み、観測対象となる鳥１を選別し易くすることができると共に、外乱を防止することもできる。
【００７８】
また、増幅手段６０は、通信手段６３と接続されており、通信手段６３、６３Ａを介して異なる観測位置Ｂに設けられた増幅手段６０Ａに鳥１の発する音を送るようになっている。このような通信手段６３、６３Ａを用いることで、詳しくは後述するが、異なる観測位置Ａ、Ｂに設けられた観測部１１で、同一の鳥１を観測しているか鳥１の発する音から判別することができる。
【００７９】
さらに、観測位置Ａ、Ｂのそれぞれの通信手段６３、６３Ａには、集音手段４０が集音した鳥１の発する音を異なる観測位置Ａ又はＢに設けられた通信手段６３、６３Ａに送るための切り替えスイッチが設けられており、この切り替えスイッチによって異なる観測位置Ａ又はＢに集音手段４０が集音した鳥１の発する音を送るか否か切り替えることができる。また、このような異なる観測位置Ａ、Ｂのそれぞれに設けられた通信手段６３、６３Ａ同士は、例えば、無線、有線、電話線又は携帯電話線などを介して接続されている。
【００８０】
なお、観測者２が鳥１の発する音から観測位置Ａ、Ｂで同一の鳥１を観測しているか判断するには、例えば、観測者２が観測位置Ａで集音した鳥１の発する音をヘッドホン３の左右の何れか一方側で聞き、観測位置Ｂで集音した鳥１の発する音をヘッドホン３の他方側で聞くことで、同一の鳥１を観測しているか判断することができる。すなわち、同一の鳥１を観測していれば、観測者２は、鳥１の鳴き声などの同じ音が同じタイミングでヘッドホン３の左右両側から聞こえる。また逆に、同一の鳥１を観測していなければ、観測者２は、鳥１の鳴き声などがヘッドホン３の片側からのみ聞こえることとなる。このように、観測者２は、音がヘッドホン３の左右両側から聞こえたか、片側から聞こえたかによって、同一の鳥１を観測しているか判断することができる。
【００８１】
また、本実施形態では、集音手段４０が集音した鳥１の発する音を、観測者２が装着したヘッドホン３で聴音して観測位置Ａ、Ｂで同一の鳥１を観測しているか判断するようにしたが、特にこれに限定されず、例えば、観測位置Ａ、Ｂそれぞれの集音手段４０が集音した鳥１の発する音を波長として取得し、波長を比較することで観測位置Ａ、Ｂで同一の鳥１を観測しているか判断するようにしてもよい。この場合、例えば、観測位置Ａ、Ｂそれぞれの集音手段４０が集音した鳥１の発する音を波長として一つのモニタに同時に表示させて、観測者２は、モニタに表示された波長を視認することで同一の鳥１を観測しているか判断すればよい。また、観測位置Ａ、Ｂそれぞれの集音手段４０が集音した鳥１の発する音を波長データとして取得し、コンピュータ等で波長データの比較を自動的に行わせるようにしてもよい。
【００８２】
また、位置取得手段６１は、観測者２によって保持手段５０が鳥１の移動に合わせて調整された際に、調整された調整位置を特定する位置情報を取得して保存するものである。
【００８３】
詳しくは、位置取得手段６１は、観測者２によって保持手段５０が装置本体２０に対して鳥１の移動に合わせて調整された際に、第１の位置検出センサ１００が検出した保持手段５０の装置本体２０に対する水平方向の角度データと、第２の位置検出センサ１０１が検出した保持手段５０の装置本体２０に対する鉛直方向の角度データとを取得して保存する。すなわち、本実施形態では、位置取得手段６１は、保持手段５０が調整された調整位置を特定する位置情報として、保持手段５０の装置本体２０に対する水平方向の角度データ及び鉛直方向の角度データを取得して保存している。
【００８４】
また、位置取得手段６１は、観測者２が鳥１の観測を開始してから終了するまでの位置情報を保存するようになっている。なお、観測者２の観測開始及び観測終了の合図は、観測者２が操作ハンドル５７に設けられたスイッチ５７ａを入り切りすることで行うことができる。
【００８５】
さらに、位置取得手段６１は、時計手段６４から取得した時刻と関連付けて所定時間毎に位置情報を保存するようになっている。このように位置取得手段６１が時計手段６４からの時刻に関連付けて位置情報を取得及び保存することにより、異なる観測位置Ａ、Ｂに設けられた位置取得手段６１、６１Ａが取得及び保存した位置情報の同期を取ることができる。これにより、観測終了後に位置取得手段６１が取得した位置情報が同一の鳥１を観測していたものであるか検証することができると共に、異なる鳥１や同一の鳥１などを複数回に亘って観測した場合には、いつの時刻に観測した鳥１の位置情報であるか明確にすることができる。
【００８６】
また、鳥類位置取得手段６２は、コンピュータ等の電子計算機からなり、観測位置Ａに設けられた位置取得手段６１に接続されて、第１及び第２の位置検出センサ１００、１０１が検出した位置情報（角度データ）を取得する。また、鳥類位置取得手段６２は、通信手段６３に接続されており、観測位置Ｂに設けられた通信手段６３Ａを介して位置取得手段６１Ａが取得した第１及び第２の位置検出センサ１００、１０１の検出した位置情報（角度データ）を取得する。
【００８７】
そして、鳥類位置取得手段６２は、詳しくは後述するが、観測位置Ａの位置取得手段６１からの位置情報（角度データ）と、通信手段６３、６３Ａを介して送られた観測位置Ｂに設けられた位置取得手段６１Ａからの位置情報（角度データ）と、観測位置Ａ、Ｂの位置情報から鳥１の位置を算出する。
【００８８】
ここで、観測位置Ａの位置取得手段６１が取得した位置情報は、観測位置Ａに設けられた第１の位置検出センサ１００及び第２の位置検出センサ１０１が検出した保持部材５０の角度データであり、観測位置Ｂの位置取得手段６１Ａが取得した位置情報は、観測位置Ａに設けられた第１の位置検出センサ１００及び第２の位置検出センサ１０１が検出した保持手段の角度データであるため、鳥類位置取得手段６２は、これら観測位置Ａの角度データ及び観測位置Ｂの角度データ及び観測位置Ａ、Ｂの位置情報から三角関数を用いて鳥１の位置を算出している。なお、鳥１の位置とは、鳥１の水平方向（地図上）の位置及び鳥１の高さのことを言う。
【００８９】
また、鳥類位置取得手段６２は、時刻に関連付けて所定時間毎に鳥１の位置を算出してもよく、また、観測者２の操作により所定のタイミングで時刻に関連付けて鳥１の位置を算出するようにしてもよい。本実施形態では、位置取得手段６１、６１Ａが時刻に関連付けて所定時間毎に位置情報を取得及び保存するため、鳥類位置取得手段６２は位置取得手段６１、６１Ａが位置情報を取得した所定時間毎に鳥１の位置を算出するようにした。なお、鳥類位置取得手段６２は、算出した鳥１の位置を時刻と共に記録する、すなわち、鳥１の時間に対する移動軌跡を記録するようにしてもよい。
【００９０】
また、鳥類位置取得手段６２には、観測位置Ａ、Ｂで同一の鳥１を観測しているか検証する検証手段６５が設けられている。この検証手段６５については、詳しくは後述する。
【００９１】
ここで、このような鳥類観測装置１０を用いた鳥類観測方法の一例について詳細に説明する。なお、図５及び図６は、鳥類観測方法を示す概略図である。
【００９２】
図５（ａ）及び（ｂ）に示すように、上述したのと同様に、観測部１１が、異なる観測位置Ａ、Ｂにそれぞれ設置され、観測位置Ａに鳥類位置取得手段６２が設けられている場合について説明する。なお、この観測位置Ａと観測位置Ｂとの水平方向の直線距離Ｌは、地図上での計測や、ＧＰＳ（Global Positioning System）などを用いて正確に計測することができる。
【００９３】
また、観測位置Ａの位置取得手段６１は、観測位置Ｂの水平方向の位置を水平基準位置とし、観測位置Ｂの位置取得手段６１は、観測位置Ａの水平方向の位置を水平方向の基準位置としている。このような観測位置Ａ、Ｂのそれぞれの位置取得手段６１、６１Ａの水平方向の基準位置は、前述した直線距離Ｌと同様に地図やＧＰＳを用いて正確に取得することができるが、本実施形態では、例えば、観測位置Ａでは、観測部１１を用いて観測位置Ｂに設置された観測部１１の水平位置を位置決めし、このときの観測位置Ａの第１の位置検出センサ１００が示す角度を水平方向の基準位置（０度）に設定している。また、同様に、観測位置Ｂでは、観測部１１を用いて観測位置Ａに設置された観測部１１の水平方向を位置決めし、このときの観測部Ｂの第１の位置検出センサ１００が示す角度を水平方向の基準位置（０度）に設定している。
【００９４】
また、観測位置Ａ及びＢの位置取得手段６１、６１Ａの鉛直方向の基準位置は、特に限定されないが、例えば、本実施形態では、ジャイロスコープなどを用いて鉛直方向に直交する方向を垂直方向の基準位置（０度）に設定している。
【００９５】
まず、鳥１の観測を開始するときは、観測位置Ａの観測者２と観測位置Ｂの観測者２Ａとが通信手段６３、６３Ａを用いて互いに通信を行い、観測目標とする鳥１を選定する。
【００９６】
この観測する鳥１の選定は、異なる観測位置Ａ、Ｂの観測者２、２Ａが暗視手段３０及び集音手段４０を用いて行うことができる。また、異なる観測位置Ａ、Ｂの観測者２、２Ａは、通信手段６３、６３Ａを用いて選定した鳥１の特徴を通信することで、異なる観測位置Ａ、Ｂで同一の鳥１が選定されているか確認する。なお、鳥１の特徴としては、暗視手段３０で暗視した鳥１の柄や大きさ、集音手段４０を用いて集音した鳥１の発する音などが挙げられる。
【００９７】
このように、観測する鳥１の選定に暗視手段３０及び集音手段４０を用いることで、夜間や、鳥１が遠くに居る場合など肉眼で鳥１を認識できなくても、確実に鳥１を認識することができる。また、通信手段６３、６３Ａを用いて観測位置Ａ、Ｂで相互に通信することで、観測位置Ａ、Ｂで異なる鳥１を観測しないようにすることができる。
【００９８】
また、鳥１を選定した後、観測位置Ａの観測者２が操作ハンドル部５７のスイッチ５７ａを入れることで鳥１の観測が開始される。逆に鳥１の観測を終了するときは、観測位置Ａの観測者２が操作ハンドル部５７のスイッチ５７ａを切るだけでよい。
【００９９】
このように観測する鳥１を決定し、観測者２がスイッチ５７ａを入れると、観測位置Ａ、Ｂの保持手段５０は鳥１に観測方向が調整されているため、観測位置Ａの位置取得手段６１は、図５（ａ）に示すように、観測位置Ａの第１の位置検出センサ１００が検出した水平方向の基準位置（０度）に対する鳥１の水平角度θａ１と、図６（ａ）に示すように、観測位置Ａの第２の位置検出センサ１０１が検出した鉛直方向の基準位置（０度）に対する鳥１の鉛直角度θｈａ１とを取得して保存する。
【０１００】
また、観測位置Ｂの位置取得手段６１Ａも同様に、観測位置Ｂの第１の位置検出センサ１００が検出した鳥１の水平角度θｂ１と、第２の位置検出センサ１０１が検出した鳥１の鉛直角度θｈｂ１とを取得して保存する。
【０１０１】
このようにそれぞれの位置取得手段６１、６１Ａが鳥１の位置情報を取得すると、鳥１の位置情報は鳥類位置取得手段６２に送られて、鳥類位置取得手段６２が鳥１の位置を算出する。具体的には、図５（ａ）に示すように、鳥類位置取得手段６２は、観測位置Ａと観測位置Ｂとの距離Ｌと、観測位置Ａの位置取得手段６１が取得した水平角度θａ１と、観測位置Ｂの位置取得手段６１Ａが取得した水平角度θｂ１とから、三角関数によって鳥１の水平位置を算出する。また、図６（ａ）に示すように、鳥類位置取得手段６２は、観測位置Ａと観測位置Ｂとの距離Ｌと、観測位置Ａの位置取得手段６１が取得した鉛直角度θｈａ１と、観測位置Ｂの位置取得手段６１Ａが取得した水平角度θｈｂ１とから、三角関数によって鳥１の高さを算出する。
【０１０２】
このように、鳥類位置取得手段６２が鳥１の水平位置及び高さからなる位置を算出したら、算出した位置を時刻と関連付けてデータとして保存する。
【０１０３】
そして、図５（ｂ）及び図６（ｂ）に示すように、鳥１が移動したら、観測位置Ａ、Ｂの観測者２、２Ａは、暗視手段３０のモニタ３２で鳥１を確認しながら操作ハンドル５７を動かして常にモニタ３２に鳥１が写るように、すなわち、暗視手段３０の暗視方向が鳥１となるように保持手段５０を調整する。また、観測者２、２Ａは、暗視手段３０の暗視方向を鳥１に合わせると共に、集音手段４０が集音した鳥１の発する音をヘッドホン３で聴音することで、集音方向を鳥１に合わせている。すなわち、観測者２、２Ａは、暗視手段３０による暗視と、集音手段４０による集音とによって鳥１を捕捉している。このため、暗視手段３０による暗視で鳥１を見失った場合にも、集音手段４０の集音した鳥１の発する音を頼りに観測方向を調整することができる。
【０１０４】
そして、観測者２、２Ａの操作により観測方向を合わせ続けると、観測位置Ａ、Ｂの位置取得手段６１、６１Ａは、所定時間毎に位置情報を取得して時刻に関連付けて保存する。具体的には、位置取得手段６１は、図５（ｂ）に示すように、観測位置Ａの第１の位置検出センサ１００が検出した水平方向の基準位置（０度）に対する鳥１の水平角度θａ２と、図６（ａ）に示すように、観測位置Ａの第２の位置検出センサ１０１が検出した鉛直方向の基準位置（０度）に対する鳥１の鉛直角度θｈａ２とを取得して時刻に関連付けて保存する。
【０１０５】
また、観測位置Ｂの位置取得手段６１Ａも同様に、観測位置Ｂの第１の位置検出センサ１００が検出した鳥１の水平角度θｂ２と、第２の位置検出センサ１０１が検出した鳥１の鉛直角度θｈｂ２とを取得して保存する。
【０１０６】
このようにそれぞれの位置取得手段６１、６１Ａが鳥１の位置情報を取得すると、上述した観測を開始したときと同様に、鳥１の位置情報は鳥類位置取得手段６２に送られて、鳥類位置取得手段６２が鳥１の位置を算出する。具体的には、図５（ｂ）に示すように、鳥類位置取得手段６２は、観測位置Ａと観測位置Ｂとの距離Ｌと、観測位置Ａの位置取得手段６１が取得した水平角度θａ２と、観測位置Ｂの位置取得手段６１Ａが取得した水平角度θｂ２とから、三角関数によって鳥１の水平位置を算出する。また、図６（ｂ）に示すように、鳥類位置取得手段６２は、観測位置Ａと観測位置Ｂとの距離Ｌと、観測位置Ａの位置取得手段６１が取得した鉛直角度θｈａ２と、観測位置Ｂの位置取得手段６１Ａが取得した水平角度θｈｂ２とから、三角関数によって鳥１の高さを算出する。
【０１０７】
このように、鳥類位置取得手段６２が鳥１の水平位置及び高さからなる位置を算出したら、算出した位置を時刻と関連付けてデータとして保存する。
【０１０８】
このような位置取得手段６１、６１Ａの位置情報の取得及び保存と、鳥類位置取得手段６２による鳥１の位置の算出及び保存とは、観測者２、２Ａが鳥１の観測を終了するまで所定時間毎に行われるようになっている。そして、観測者２が操作ハンドル部５７のスイッチ５７ａを切ることで、鳥１の観測が終了され、位置取得手段６１、６１Ａによる位置情報の取得及び保存、鳥類位置取得手段６２による鳥１の位置の算出及び保存も終了される。
【０１０９】
このような鳥１の観測では、鳥類位置取得手段６２が鳥１の位置を所定時間毎に算出して保存しているため、図７（ａ）に示すような地図に対して、図７（ｂ）に示すような鳥１の時間に対する水平位置の軌跡と、図７（ｃ）に示すような鳥１の時間に対する高さの軌跡として表すことができる。
【０１１０】
また、例えば、観測位置Ａ、Ｂのそれぞれの観測部１１が異なる鳥１を観測していた場合、鳥類位置取得手段６２が算出した鳥１の位置は、図８に示すように乱れた位置で算出される。このため、鳥類位置取得手段６２には、観測位置Ａ、Ｂで同一の鳥１を観測しているか検証する検証手段６５が設けられている。この検証手段６５の検証方法は、特に限定されないが、例えば、鳥類位置取得手段６２が前回算出した鳥１の位置と、今回算出した鳥１の位置との距離が所定時間内で一定の距離以上となった場合、すなわち、鳥１の飛翔速度が設定した値を超えた場合に異なる鳥を観測していると知らせるようにすればよい。
【０１１１】
また、検証手段６５が観測位置Ａ、Ｂのそれぞれの観測部１１で異なる鳥１を観測していると検証した場合には、観測位置Ａ、Ｂのそれぞれの観測者２、２Ａに知らせるようにすればよい。観測者２、２Ａに知らせる方法としては、例えば、観測者２、２Ａが装着したヘッドホン３から音声や警告音などを流すようにしてもよく、また、鳥類位置取得手段６２にコンピュータを用いた場合には、画面に警告を出すようにしてもよい。
【０１１２】
以上説明したように、本実施形態では、夜間であっても、暗視手段３０及び集音手段４０によって、鳥１の観測を容易に行うことができると共に、鳥類位置取得手段６２によって、観測中に位置取得手段６１が取得及び保存した位置情報に基づいて鳥１の位置を容易に且つ高精度に取得することができる。
【０１１３】
また、鳥類位置取得手段６２に検証手段６５を設けることによって、異なる観測位置Ａ、Ｂで同一の鳥１を観測しているか検証することができ、無駄な観測を防止して観測効率を向上することができる。
【０１１４】
なお、本実施形態では、制御部１２Ａには、鳥類位置取得手段を設けないようにしたが、制御部１２Ａにも鳥類位置取得手段を設けるようにしてもよい。これにより、異なる観測位置で鳥１の位置を算出して、鳥１の位置精度を向上することができる。
【０１１５】
（実施形態２）
図９は、本発明の実施形態２に係る鳥類観測装置の制御部を示すブロック図である。なお、上述した実施形態１と同様の部材には同一の符号を付して重複する説明は省略する。
【０１１６】
図９に示すように、本実施形態の鳥類観測装置は、上述した実施形態１と同様に、異なる観測位置Ａ、Ｂに観測部１１が設けられたものであり、異なる観測位置Ａに設けられた制御部１２Ｂには、鳥類位置取得手段６２が設けられておらず、異なる観測位置Ａ、Ｂのそれぞれの制御部１２Ｂ、１２Ｃには、位置取得手段６１、６１Ａが取得した位置情報に関連付けて暗視手段３０の暗視した情報及び集音手段４０の集音した情報を保存する保存手段６６、６６Ａがそれぞれ設けられている。
【０１１７】
このような保存手段６６は、例えば、ビデオレコーダーやＤＶＤ（登録商標）レコーダー等のように、暗視手段３０が暗視した情報と、集音手段４０が集音した情報とを同時に保存するものでもよく、また、暗視手段３０が暗視した情報を保存する暗視情報記録手段と、集音手段４０が集音した情報を保存する集音情報記録手段とで構成するようにしてもよい。
【０１１８】
また、保存手段６６、６６Ａは、それぞれ位置取得手段６１、６１Ａが取得した位置情報に関連付けて暗視した情報及び集音した情報を保存するが、本実施形態では、位置取得手段６１、６１Ａが位置情報を時計手段６４、６４Ａからの時刻と関連付けて取得及び保存しているため、暗視した暗視情報及び集音した集音情報も時計手段６４、６４Ａの時刻と関連付けて保存するようになっている。
【０１１９】
また、保存手段６６、６６Ａは、鳥１の観測を開始してから終了するまで各情報を保存するようにしてもよく、また、観測位置Ａ、Ｂに設置して、電源を投入してから常に各情報を保存するようにしてもよい。
【０１２０】
このような鳥類観測装置では、上述した実施形態１と同様に、観測者２が鳥１の観測を行うと、観測位置Ａ、Ｂのそれぞれの位置取得手段６１、６１Ａが位置情報を時間と関連付けて取得及び保存する。そして、観測が終了してから、観測位置Ａ、Ｂのそれぞれの位置取得手段６１、６１Ａに保存された位置情報から鳥１の位置を算出することができる。この鳥１の位置を算出する際に、保存手段６６、６６Ａに保存された各情報を検証して観測の正否を検証することができる。すなわち、観測終了後であっても、保存手段６６に保存された暗視手段３０の暗視した情報から、暗視手段３０が鳥１を常に捕捉していたか検証することができると共に、保存手段６６、６６Ａに保存された集音手段４０の集音した情報から同一の鳥１を観測していたか検証することができる。また、観測終了後にも保存手段６６、６６Ａに保存された各情報から鳥１の種を識別することもできる。
【０１２１】
なお、本実施形態では、制御部１２Ｂ、１２Ｃに鳥類位置取得手段を設けないようにしたが、特にこれに限定されず、制御部１２Ｂに保存手段６６と共に鳥類位置取得手段を設けるようにしてもよい。これによれば、観測中に鳥１の位置を算出することができると共に、観測中に観測位置Ａ、Ｂで異なる鳥１を観測しているか検証することもできる。
【０１２２】
（他の実施形態）
以上、本発明の各実施形態を説明したが、本発明の基本的な構成は、上述したものに限定されるものではない。
【０１２３】
例えば、上述した実施形態１、２では、異なる観測位置Ａ、Ｂの２カ所のそれぞれに設置された２台の観測部１１で鳥１の観測を行うようにしたが、特にこれに限定されず、例えば、３カ所以上の異なる観測位置のそれぞれに観測部１１を設置して、３台以上の観測部１１を用いて鳥１の観測を行ってもよい。このように３台以上の観測部１１によって鳥１の観測を行うことで、観測対象となる鳥１の選別及び確認をさらに確実に行うことができると共に、算出する鳥１の位置精度を向上することができる。
【０１２４】
また、例えば、鳥類観測装置に鳥１までの距離を測定する測定手段を設け、１台の鳥観測装置で鳥１の観測を行うようにしてもよい。この場合、例えば、位置取得手段に方位を基準とした位置情報を取得及び保存させて、この位置取得手段が取得及び保存した位置情報と、測定手段が測定した鳥１までの距離とを用いた三角関数によって鳥１の位置を算出すればよい。なお、測定手段としては、例えば、暗視手段のピント合わせに応じて被写体までの距離を取得するものや、照射した電波が鳥１に反射することによって距離を測定するものなどが挙げられる。勿論、鳥類観測装置に測定手段を設けた場合であっても、複数箇所で同時に同一の鳥１を観測すれば、観測精度を向上することができる。
【０１２５】
さらに、上述した実施形態１、２では、保持手段５０が、暗視手段３０の暗視方向及び集音手段４０の集音方向を装置本体２０に対して鉛直方向及び鉛直方向と直交する水平方向に位置決めできるようにしたが、特にこれに限定されず、例えば、保持手段５０が、鉛直方向に対して所定角度ずれた方向及びそれに交差する方向に暗視方向及び集音方向を位置決めするようにしてもよい。何れにしても、鳥１の移動に合わせて観測方向を位置決めできればよい。
【０１２６】
また、上述した実施形態１、２では、観測者２が手動により観測方向を調整するようにしたが、例えば、第１及び第２の回転支持部材５３、５６に駆動モータ等の駆動手段を設けると共に、暗視手段３０が取得した画像を画像解析する画像解析手段を設け、画像解析手段が画像処理にすることによって鳥１の移動方向に合わせて駆動手段を制御すして、鳥１の観測方向を調整するようにしてもよい。すなわち、鳥１の移動を自動的に追尾して自動的に鳥１を捕捉できるようにしてもよい。
【０１２７】
さらに、上述した実施形態１及び２では、暗視手段３０を、暗視カメラ３１と、暗視カメラ３１からの映像データを可視化するモニタ３２とで構成したが、特にこれに限定されず、例えば、暗視手段として暗視スコープを用いるようにしてもよい。この場合、実施形態２の保存手段６６、６６Ａは、集音手段４０が取得した鳥１の発する音だけを保存すればよい。また、暗視手段３０の代わりに日中用いられる通常の単眼鏡を用いるようにしてもよい。単眼鏡を用いることで、日中に鳥１を観測する場合にも、観測対象となる鳥１の選別を容易に行えると共に、鳥１の位置を容易に且つ高精度に取得することができる。
【図面の簡単な説明】
【０１２８】
【図１】本発明の実施形態１に係る鳥類観測装置の概略側面図である。
【図２】本発明の実施形態１に係る鳥類観測装置の要部正面図である。
【図３】本発明の実施形態１に係る鳥類観測装置の要部側面図である。
【図４】本発明の実施形態１に係る鳥類観測装置の制御系を示すブロック図である。
【図５】本発明の実施形態１に係る鳥類観測方法を示す図である。
【図６】本発明の実施形態１に係る鳥類観測方法を示す図である。
【図７】本発明の実施形態１に係る観測結果を示す図である。
【図８】本発明の実施形態１に係る観測結果を示す図である。
【図９】本発明の実施形態２に係る鳥類観測装置の制御系を示すブロック図である。
【符号の説明】
【０１２９】
１  鳥
２、２Ａ  観測者
１０  鳥類観測装置
１１  観測部
１２、１２Ａ、１２Ｂ、１２Ｃ  制御部
２０  装置本体
３０  暗視手段
４０  集音手段
５０  保持手段
６０、６０Ａ  増幅手段
６１、６１Ａ  位置取得手段
６２  鳥類位置取得手段
６３、６３Ａ  通信手段
６４、６４Ａ  時計手段
６５  検証手段
６６、６６Ａ  保存手段
１００  第１の位置検出センサ
１０１  第２の位置検出センサ
Ａ、Ｂ  観測位置
【図１】
2005189103.tif 000003
【図２】
2005189103.tif 000004
【図３】
2005189103.tif 000005
【図４】
2005189103.tif 000006
【図５】
2005189103.tif 000007
【図６】
2005189103.tif 000008
【図７】
2005189103.tif 000009
【図８】
2005189103.tif 000010
【図９】
2005189103.tif 000011